(57)【要約】      （修正有）【課題】小売店から消費者のパソコンや携帯電話に、特売情報、タイムサービス情報をメール配信するシステムを提供する。【解決手段】消費者のパソコンや携帯電話に、新聞折込広告に載せる特売情報や、その日のタイムリーな特売情報、タイムサービス情報を、メール配信することによって、低コスト、タイムリーかつ広域に、その日の仕入れ・在庫状況、販売状況に合わせた、販売促進戦略の実現を可能とするシステムを提供する。【選択図】図１
2006163564.tif 000002
【特許請求の範囲】
【請求項１】
消費者のパソコンまたは携帯電話から、インターネットを通じ、小売店の特売情報、タイムサービス情報のメール配信登録サーバに接続する処理と、メール配信登録サーバが小売店の特売情報、タイムサービス情報のメール配信登録画面を消費者のパソコンまたは携帯電話に送信する処理と、消費者のパソコンまたは携帯電話がメールアドレスを、メール配信登録サーバへ送信する処理と、メール配信登録サーバが登録確認メールを消費者のパソコンまたは携帯電話のメールアドレスへ送信する処理。
【請求項２】
小売店のパソコンがアプリケーションサーバに接続する処理と、アプリケーションサーバが小売店のパソコンにメール内容登録画面を送信する処理と、小売店のパソコンが入力された特売情報、タイムサービス情報内容、メール送信指定日時をアプリケーションサーバへ送信する処理と、アプリケーションサーバが特売情報、タイムサービス情報確認画面を小売店のパソコンへまたは携帯電話へ送信する処理と、小売店のパソコンがアプリケーションサーバにメール送信指示する処理と、アプリケーションサーバがデータベースサーバへメール送信先情報の問い合わせをする処理と、データベースサーバがアプリケーションサーバへメール送信先情報を送信する処理と、アプリケーションサーバがメール内容とメール送信指定日時、送信先情報をメール送信サーバへ送信する処理と、メール送信サーバが指定された時間に、特売情報、タイムサービス情報を、消費者のパソコンまたは携帯電話にメール送信する処理。
【発明の詳細な説明】
【技術分野】
【０００１】
本発明は、小売店から消費者のパソコンや携帯電話に、特売情報、タイムサービス情報をメール配信するシステムに関する。
【背景技術】
【０００２】
従来小売店では、特売情報を掲載した新聞折込広告を消費者宅に配布することを、主な販売促進手段としていた。
（例えば、非特許文献１参照）
【０００３】
最近、新聞折込広告を電子化し、パソコンインターネット経由で、特売情報を提供するものもある。（例えば、非特許文献２参照）
【０００４】
従来の販売促進手段には、下記のような欠点が存在する。
１広告費用との関係から、折込広告の部数、配布地域を絞り込んでいるため、折込広告を配布した新聞を購読している、限られた地域の消費者にしか、販売促進できない。
２特売品の企画や広告作成に日数を要するため、雨天による客足の鈍化、販売数量の見込み違い、競合店でのより低価格での商品提供などに対応した、タイムリーな販売促進戦略を打ち出せない。
３低価格で販売できる生鮮食料品を仕入れる機会があっても、多くの消費者に伝える手段がないため、仕入れを見送らざるを得ない。
４インターネットでの特売情報提供は、低コストでより多くの消費者に宣伝できる効果はあるが、内容が新聞折込広告と同様であるため、数日前に企画した特売情報である点において、新聞折込広告と何ら変わりがない。
【０００５】
【非特許文献１】イトーヨーカドーのWEBサイト内にある店舗の案内ページに掲載されている折込広告のPDFファイル。URL：http://www.itoyokado.iyg.co.jp/ap/store/akabane.html
【発明の開示】
【発明が解決しようとする課題】
【０００６】
本発明は以上のような欠点に鑑み、新聞折込広告に載せる特売情報や、その日のタイムリーな特売情報、タイムサービス情報を、消費者のパソコンや携帯電話にメール配信することによって、低コスト、タイムリーかつ広域に、その日の仕入れ・在庫状況、販売状況に合わせた、販売促進戦略の実現を可能とするシステムを提供することを目的としている。
【課題を解決するための手段】
【０００７】
上記目的を達成するために、本発明では下記手段により解決する。
１消費者は、パソコンインターネット、携帯電話インターネット、申込書記入等の方法により、本システムに小売店の特売情報・タイムサービス情報のメール配信登録をしておく。
２小売店は、新聞折込広告に載せる特売情報や、その日のタイムリーな特売情報、タイムサービス情報のメール本文を作成する。メール本文作成にあたっては、メール送信テンプレートやパソコンとの連携ツールを用意することによって、入力する情報を特売、タイムサービスの日時や商品名、数量、価格など最低限で済むようにする。
３小売店は、メール送信日時、送信先等の送信条件を指定して、パソコンから通信回線（インターネット回線や専用線等）を通じて、本システムのサーバに送信する。
４本システムのサーバは、小売店のパソコンや携帯電話に、配信内容を生成した配信サンプルを送信する。
５小売店は、配信内容を確認し、本システムのサーバに配信依頼をする。
６本システムのサーバは、小売店の指定する送信条件に従って、消費者の指定したパソコンや携帯電話にメール配信を行う。
【発明の効果】
【０００８】
小売店は、低コスト、タイムリーかつ広域に、その日の仕入れ・在庫状況、販売状況に合わせた広告宣伝が可能になり、来店客の増加が期待できる。特に、客足が鈍いときの販売促進策として有効となる。
【０００９】
また、日持ちの悪い生鮮食料品の売れ残りロスの削減が可能となるため、小売店の利益率の向上や消費者へのより低価格での提供につながる。
【００１０】
消費者は、最新の特売情報、タイムサービス情報を得られるため、より低価格で商品を購入することが可能になる。
【発明を実施するための最良の形態】
【００１１】
以下、図面に示す発明を実施するための最良の形態により、本発明を詳細に説明する。
【００１２】
以下本発明を、図面を用いて詳細に説明する。図１は本発明に係わる小売店の特売情報、タイムサービス情報のメール配信システムの実施例を示す構成ブロック図である。
【００１３】
図１において、１０１はアプリケーションサーバである。１０２はメール送信サーバである。１０３はメール配信サービス希望者の所有する携帯電話、１０４はインターネット、１０５はメール配信登録サーバである。１０６はデータベースサーバである。１０７はアプリケーションサーバに接続するための小売店のパソコンである。１０８は配信サンプルを受信する小売店の携帯電話である。
【００１４】
ここで、図１に示す実施例の動作を、図２、図３を用いて説明する。図２はメール配信先メールアドレスを登録するまでを説明するフロー図である。図３はメール配信までの流れを説明するフロー図である。
【００１５】
図２中“２０１”において、携帯電話１０３の所有者が、小売店の特売情報、タイムサービス情報のメール配信を希望する場合、携帯電話１０３は、インターネットを通じ、メール配信登録サーバ１０５に接続する。
【００１６】
図２中“２０２”において、メール配信登録サーバ１０５は、携帯電話１０３から送信された要求に応じ、小売店の特売情報、タイムサービス情報のメール配信登録画面を送信する。
【００１７】
図２中“２０３”において、携帯電話１０３は、メール配信登録画面を取得し、メール配信を希望するメールアドレス、携帯電話固有番号を、メール配信登録サーバ１０５へ送信する。
【００１８】
図２中“２０４”において、メール配信登録サーバ１０５は、配信を希望するメールアドレスと携帯電話固有番号を、携帯電話１０３より取得し、携帯電話１０３のメールアドレスへ登録確認メールを送信する。
その際、登録確認のためのメール配信登録サーバ１０５内のページのＵＲＬをメールに記載しておく。
【００１９】
図２中“２０５”において、携帯電話１０３は、登録確認メールを取得する。
【００２０】
図２中“２０６”において、携帯電話１０３は、登録確認メールに記載されたメール配信登録サーバ１０５内の登録確認用ＵＲＬに接続する。
【００２１】
図２中“２０７”において、携帯電話１０３は、メール配信登録サーバ１０５内の登録確認用ＵＲＬにアクセスし、携帯電話固有番号を送信する。
【００２２】
図２中“２０８”において、メール配信登録サーバ１０５は、先に取得した携帯電話固有番号と今取得した携帯電話固有番号を比較し、一致した場合、メール配信先としてデータベースサーバ１０６に登録する。
【００２３】
上記図２に提示した手段の方法として、小売店に備え付けの登録用紙にメールアドレスを記入してもらい、直接メールアドレスをデータベースサーバ１０６に登録することもできる。
【００２４】
また、特売情報、タイムサービス情報のメール配信先を、消費者の所有するパソコンのメールアドレスにすることもできる。
【００２５】
図３中“３０１”において、パソコン１０７は、アプリケーションサーバ１０１に接続する。
【００２６】
図３中“３０２”において、アプリケーションサーバ１０１は、パソコン１０７からの接続要求に対し、メール内容登録画面を送信する。
【００２７】
図３中“３０３”において、パソコン１０７は、入力されたメール内容、メール送信指定日時を、アプリケーションサーバ１０１へ送信する。
【００２８】
図３中“３０４”において、アプリケーションサーバ１０１は、パソコン１０７からのメール内容、メール送信指定時間を取得し、メール内容確認画面を携帯電話１０８へ送信する。
【００２９】
図３中“３０５”において、パソコン１０７は、アプリケーションサーバ１０１にメール送信を指示する。
【００３０】
図３中“３０６”において、アプリケーションサーバ１０１は、パソコン１０７からのメール送信指示を受け、データベースサーバ１０６へメール送信先情報の問い合わせをする。
【００３１】
図３中“３０７”において、データベースサーバ１０６は、アプリケーションサーバ１０１の問い合わせ要求に応じ、アプリケーションサーバ１０１へメール送信先情報を送信する。
【００３２】
図３中“３０８”において、アプリケーションサーバ１０１は、メール送信先情報を取得し、メール内容とメール送信指定日時、送信先情報をメール送信サーバ１０２へ送信する。
【００３３】
図３中“００９”において、メール送信サーバ１０２はメール内容とメール送信指定日時、メール送信先情報を取得し、指定された日時に各メール送信先に対しメールを送信する。
【図面の簡単な説明】
【００３４】
【図１】本発明を実施するための最良の形態の構成図
【図２】メール配信希望メールアドレスを登録するまでを説明するフロー図
【図３】メール配信までの流れを説明するフロー図
【図１】
2006163564.tif 000003
【図２】
2006163564.tif 000004
【図３】
2006163564.tif 000005